(57)【要約】      （修正有）【課題】ガイドレール有り及びガイドレール無しの場合同時に適用し、スピーディに取り外しもできることで、更に製品の適用範囲を広げ、使用便利性を更に高めるスライドレール及び無レール共用の定位部品構造を提供する。【解決手段】電機モジュール３を含み、電機モジュール３の背面には、それぞれ第一定位部品掛合槽３１と第二定位部品掛合槽３２を設置する。定位部品組部４は、第一定位部品４１と一第二定位部品４２を含み、第一定位部品４１及び第二定位部品４２は、それぞれ電機モジュール３の第一定位部品掛合槽３１及び第二定位部品掛合槽３２に掛合する。第二定位部品４２の前端は、可動掛合塊４２３を成形し、また第一定位部品４１の末端と第二定位部品４２の末端は、それぞれ少なくとも一個の固定孔４１４，４２４を設置する。第一定位部品４１は固定孔４１４を成形し、第二定位部品４２は可動掛合塊４２３と固定孔４２４を成形する。【選択図】図５
0003187083.tif 000002
【実用新案登録請求の範囲】
【請求項１】
スライドレール及び無レール共用の定位部品構造において、
背面にはそれぞれ第一定位部品掛合槽と第二定位部品掛合槽を有し、該第一定位部品掛合槽は該第二定位部品掛合槽上方に位置し、且つ該第一定位部品掛合槽の底部一側には固定掛合塊を設置する電機モジュールと、第一定位部品と第二定位部品を含み、
該第一定位部品及び第二定位部品は、それぞれ該電機モジュールの第一定位部品掛合槽及び第二定位部品掛合槽に掛合し、該第二定位部品の前端は可動掛合塊を有し、該第一定位部品の末端と第二定位部品の末端はそれぞれ少なくとも一個固定孔を有し、該第一定位部品及び第二定位部品は該電機モジュールまで組み立てて結合した後、該第一定位部品の固定孔と第二定位部品の固定孔の両者は、背中向きで且つ遠ざかる方向を形成する定位部品組部になることを特徴とするスライドレール及び無レール共用の定位部品構造。
【請求項２】
前記固定孔は開放状のネジ孔もしくは封閉状のネジ孔とすることを特徴とする請求項１記載のスライドレール及び無レール共用の定位部品構造。
【請求項３】
前記第一定位部品掛合槽は第一被定位部を有し、該第二定位部品掛合槽は、二個の第二被定位部を有し、該第一定位部品は該第一被定位部と相対する第一定位部を有し、該第二定位部品は該第二被定位部と相対する第二定位部を有することを特徴とする請求項１記載のスライドレール及び無レール共用の定位部品構造。
【考案の詳細な説明】
【技術分野】
【０００１】
本考案は、一種の定位構造に関するもので、特に電機モジュールに固定するための定位部品構造に係わる。
【背景技術】
【０００２】
工業自動化制御もしくは電機制御領域において、通常各種電機モジュールを使用して機器設備を制御する。図１に示すとおり、そのうち、該電機モジュール１はよく見かけるリレー、計数器、モータコントローラ、プログラマブル論理制御装置（PLC）もしくはインバータ（Inverter）等電機制御装置である。該電機モジュール１の背面には、それぞれ固定掛合塊１１と一定位部品掛合槽１２を設置し、図３に示すとおり、通常配線施工者は、該電機モジュール１を配線盤２上に設置固定する時、必ず該配線盤２上に細長状のガイドレール２１（該ガイドレール２１またはスライドレールでもよい。その側面輪郭は図３に示すとおりであり、また該ガイドレール２１は一般にアルミレールである）を固定設置しなければならない。そのうち該電機モジュール１の固定掛合塊１１及び定位部品掛合槽１２の間の間隙は該ガイドレール２１の幅と相対する。その後、定位部品１５を該電機モジュール１の定位部品掛合槽１２上に設置し、該定位部品１５前端の可動掛合塊１５２と該電機モジュール１の固定掛合塊１１を相互に対面する方向で向かい、また該定位部品掛合槽１２は、通常二個の定位凹部１２１を備え、該定位部品１５は該定位凹部１２１と相対する定位凸部１５１一個を備える。これらに拠って、該定位部品１５は該定位部品掛合槽１２内にスライドし、二個の定位位置を備える。図３に示すとおり、該配線施工者が、該定位部品掛合槽１２内の定位部品１５の定位位置を移動調整することに拠って、該電機モジュール１をガイドレール２１上に設置固定するか、もしくは該電機モジュール１をガイドレール２１上から取り外すかする。その他、該電機モジュール１の定位部品掛合槽１２、定位部品１５及びガイドレール２１の細部構造は当該領域の技術は通常知識内であるため、ここでは重複して説明しない。
【０００３】
該公知の定位部品１５は、電機モジュール１を配線盤２上に設置固定するが、図１と図３に示すとおり、該定位部品１５は主にその前端の可動掛合塊１５２と該ガイドレール２１の間の掛合もしくは分離によって、電機モジュール１を配線盤２から固定したり取り外したりする目的を達成するが、ガイドレール２１と合わせて使用しなければならならず、もしも該配線盤２上にガイドレール２１が設置していない場合、該電機モジュール１は設置することができず、使用上不便で製品実用性は大きく制限を受ける。故に、ガイドレール２１の有無に関わらず、等しく適用する定位部品構造を如何にして発展させ、実用価値を高めるのは切迫した課題である。
【考案の概要】
【考案が解決しようとする課題】
【０００４】
解決しようとする問題点は、配線盤上にガイドレールが設置していない場合、該電機モジュールは設置することができず、使用上不便で製品実用性は大きく制限を受ける点である。
【課題を解決するための手段】
【０００５】
本考案は、電機モジュールを含み、該電機モジュールの背面には、それぞれ第一定位部品掛合槽と第二定位部品掛合槽を設置する。定位部品組部は、第一定位部品と一第二定位部品を含み、該第一定位部品及び第二定位部品は、それぞれ該電機モジュールの第一定位部品掛合槽及び第二定位部品掛合槽に掛合する。該第二定位部品の前端は、可動掛合塊を成形し、また該第一定位部品の末端と第二定位部品の末端は、それぞれ少なくとも一個の固定孔を設置する。第一定位部品は固定孔を成形し、該第二定位部品は可動掛合塊と固定孔を成形することを最も主要な特徴とする。
【考案の効果】
【０００６】
本考案のスライドレール及び無レール共用の定位部品構造は、ガイドレール有り及びガイドレール無しの場合同時に適用し、スピーディに取り外しもできることで、更に製品の適用範囲を広げ、使用便利性を更に高めるという利点がある。
【図面の簡単な説明】
【０００７】
【図１】公知の定位部品と電機モジュール結合前の指示図である。
【図２】公知の定位部品と電機モジュール結合後の指示図である。
【図３】電機モジュールの公知の定位部品をガイドレール上に固定した指示図である。
【図４】本考案の分解指示図である。
【図５】本考案の組立指示図である。
【図６】本考案の動作指示図である。
【図７】本考案の第二実施例の組立指示図である。
【図８】本考案の第二実施例の動作指示図である。
【考案を実施するための形態】
【０００８】
現在の定位部品は、ガイドレールがある場合だけに適用するため、その使用便利性及び実用性は大きく制限を受ける。拠って、本考案の目的はガイドレールの有無に関わらず、どちらでも適用できる定位部品構造を提供することである。
【０００９】
以上の目的を達成するため、本考案はスライドレール及び無レール共用の定位部品構造を提供する。電機モジュールの背面には、それぞれ設置した第一定位部品掛合槽と第二定位部品掛合槽を含む。定位部品組部は第一定位部品と第二定位部品を含み、該第一定位部品及び第二定位部品は、それぞれ該電機モジュールの第一定位部品掛合槽及び第二定位部品掛合槽に掛合する。該第二定位部品の前端には動掛合塊を成形し、また該第一定位部品の末端と第二定位部品の末端には、それぞれ少なくとも一個固定孔を成形する。
【００１０】
該第一定位部品に固定孔を成形し、該第二定位部品に可動掛合塊と固定孔を成形することに拠って、ガイドレール有り及びガイドレール無しの場合どちらでも、スピーディに着脱の効果を達成し、適用範囲を広げ、便利性を高める。
【実施例】
【００１１】
図４、図５に示すとおり、本考案はスライドレール及び無レール共用の定位部品構造を提供する。それは以下を含む。
【００１２】
電機モジュール３は、リレー、計数器、モータコントローラ、プログラマブル論理制御装置（PLC）もしくはインバータ（Inverter）等電機制御装置である。該電機モジュール３内部の細部構造は公知技術であり、本考案の技術特徴であるため、ここでは詳述しない。該電機モジュール３の背面にはそれぞれ、第一定位部品掛合槽３１と第二定位部品掛合槽３２を設置し、該第一定位部品掛合槽３１は該第二定位部品掛合槽３２上方に位置し、且つ該第一定位部品掛合槽３１底部一側には固定掛合塊３１３を設置し、該第一定位部品掛合槽３１両側にはそれぞれ第一被掛合部３１１を設置する。該第二定位部品掛合槽３２両側にはそれぞれ第二被掛合部３２１を設置し、該第一被掛合部３１１と第二被掛合部３２１はどちらも凹溝とする。また該第一定位部品掛合槽３１は第一被定位部３１２を設置し、該第二定位部品掛合槽３２は二個の第二被定位部３２２を設置し、該第一被定位部３１２と第二被定位部３２２はどちらも凹槽とする。
【００１３】
定位部品組部４は、第一定位部品４１と第二定位部品４２を含む。該第一定位部品４１及び第二定位部品４２は、それぞれ該電機モジュール３の第一定位部品掛合槽３１及び第二定位部品掛合槽３２に掛合し、該第一定位部品４１両側には、それぞれ第一掛合部４１１を設置し、該第二定位部品４２両側には、それぞれ第二掛合部４２１を設置し、該第一定位部品４１の第一掛合部４１１と、第二定位部品４２の第二掛合部４２１は、それぞれ該電機モジュール３の第一定位部品掛合槽３１及び第二定位部品掛合槽３２と相互に掛合する。該第一掛合部４１１と第二掛合部４２１は、どちらも凸レールとする。また該第一定位部品４１は、該第一被定位部３１２と相互に対応する第一定位部４１２を設置し、該第二定位部品４２は、該第二被定位部３２２と相互に対応する第二定位部４２２を設置する。該第一定位部４１２と第二定位部４２２は、どちらも凸塊とする。これらに拠って、該第一定位部品４１と第二定位部品４２が、それぞれ該第一定位部品掛合槽３１及び第二定位部品掛合槽３２と相互に掛合する時、該第一定位部４１２及び第二定位部４２２は、それぞれ該第一被定位部３１２及びそのうち一個の第二被定位部３２２と相互に掛合し、定位効果を達成する。更に、該第二定位部品４２は、該第二定位部品掛合槽３２内で滑動移動し二個の定位位置を備える。その他、該第二定位部品４２の前端には可動掛合塊４２３を設置し、また該第一定位部品４１の末端と第二定位部品の末端は共にそれぞれ少なくとも一個固定孔４１４、４２４を設置する。良好なものとして、本実施例では、該固定孔４１４、４２４は開放状ネジ孔であり、且つ該固定孔４１４、４２４の数量は二個とする。その他、該第一定位部品４１及び第二定位部品４２は該電機モジュール３まで結合した後、該第一定位部品４１の固定孔４１４と第二定位部品４２の固定孔４２４は両者ともに、背面対応して遠ざかる方向にする。図５に示すのは、該第一定位部品４１と第二定位部品４２両者は、前端、末端方向が相反する方式で該電機モジュール３と組み合わせて結合する。
【００１４】
図４に示すのは、該定位部品組部４の第二定位部品４２によって可動掛合塊４２３を設置し、図３に示すのは本考案の定位部品組部４は公知の定位部品１５と同じであり、電機モジュール３を該ガイドレール２１上に固定する効果を達成する。この時該電機モジュール３は、実際上該第二定位部品４２を設置するだけでもよい。その他、また該第一定位部品４１と第二定位部品４２は、それぞれ二個の固定孔４１４、４２４を成形し、且つ該固定孔４１４、４２４を開放状ネジ孔とする。図６に示すとおり、配線盤５上が無ガイドレールの時、本考案は四個のネジ６で、それぞれ該第一定位部品４１及び第二定位部品４２の固定孔４１４、４２４を固定することに拠って、電機モジュール３を配線盤５上に設置固定でき、本考案はガイドと無ガイド共用の目的を達成する。同時に該電機モジュール３を配線盤５から取り外す時、該第二定位部品４２上の二個のネジ６を少し緩めるだけで、該第二定位部品４２を滑動移動して押すことができ、第二定位部４２２を別の第二被定位部３２２に掛合し、第二定位部品４２の固定孔４２４とネジ６が分離する。その時、配線施工者はスピーディに該電機モジュール３を取り出す。本考案は製品適用範囲を広げ、使用便利性を向上させる効果を達成する。その他、図７は本考案の第二実施例であり、そのうち該固定孔４１４、４２４は封閉状ネジ孔であり、これによって図８に示すとおり、本考案は二個のネジ７を利用するだけで、スピーディに該電機モジュール３を配線盤５上に固定し、本考案の組立速度向上に効果を達成する。
【符号の説明】
【００１５】
〔公知〕
１          電機モジュール
１１        固定掛合塊 
１２        下定位部品掛合槽
１２１      定位凹部
１５        定位部品
１５１      定位凸部
１５２      可動掛合塊
２          配線盤
２１        ガイドレール
〔本考案〕
３          電機モジュール
３１        第一定位部品掛合槽
３１１      第一被掛合部
３１２      第一被定位部
３１３      固定掛合塊
３２     第二定位部品掛合槽
３２１      第二被掛合部
３２２      第二被定位部
４          定位部品組部
４１        第一定位部品
４１１      第一掛合部
４１２      第一定位部
４１４      固定孔
４２        第二定位部品
４２１      第二掛合部
４２２      第二定位部
４２１      可動掛合塊
４２４      固定孔
５          配線盤
６          ネジ
７          ネジ
【図１】
0003187083.tif 000003
【図２】
0003187083.tif 000004
【図３】
0003187083.tif 000005
【図４】
0003187083.tif 000006
【図５】
0003187083.tif 000007
【図６】
0003187083.tif 000008
【図７】
0003187083.tif 000009
【図８】
0003187083.tif 000010